(57)【要約】【課題】ラインスライダーの軽量化を図りつつ、ラインスライダーの強度を確保する。【解決手段】ハンドル２の巻き取り操作に連動回転するロータ４と、ロータ４のアーム部に取り付けられ、ベール７を支持する支持部材と、支持部材に支持され、釣糸が巻回保持されるスプール３に当該釣糸を案内するラインローラ２０と、ベール７の端部７ａに設けられ、ベール７によって拾われた釣糸をラインローラ２０に導くラインスライダー１０と、を備え、ラインスライダー１０は、ベール７の端部７ａからラインローラ２０に向けて延在する複数の線状部材１１，１２，１３で構成されており、複数の線状部材は、ラインローラ２０の軸周りに扇状に間隔を空けて配置されている構成とした。【選択図】図２
2015192624.tif 000002
【特許請求の範囲】
【請求項１】
ハンドルの巻き取り操作に連動回転するロータと、前記ロータのアーム部に取り付けられ、ベールを支持する支持部材と、前記支持部材に支持され、釣糸が巻回保持されるスプールに当該釣糸を案内するラインローラと、前記ベールの端部に設けられ、前記ベールによって拾われた釣糸を前記ラインローラに導くラインスライダーと、を備えた魚釣用スピニングリールであって、
前記ラインスライダーは、前記ベールの端部から前記ラインローラに向けて延在する複数の線状部材で構成されており、
前記複数の線状部材は、前記ラインローラの軸周りに扇状に間隔を空けて配置されていることを特徴とする魚釣用スピニングリール。
【請求項２】
前記複数の線状部材は前記ラインローラの径方向外側に湾曲していることを特徴とする請求項１に記載の魚釣用スピニングリール。
【発明の詳細な説明】
【技術分野】
【０００１】
本発明は、魚釣用スピニングリールに関するものである。
【背景技術】
【０００２】
従来周知のように魚釣用スピニングリールは、ロータに設けた一対のアームの先端部に半環状のベールが取り付けられている。ベールは、ラインローラを有する支持アームに支持されて、支持アームとともに釣糸巻き取り位置と釣糸放出位置とに移動自在となっている。
【０００３】
そして、ベールを釣糸巻き取り位置へ移動させ、ハンドルの操作でロータを釣糸巻き取り方向へ回転させると、ロータの回転に連動してスプールが前後方向へ往復動し、スプールに釣糸が巻回される。
また、ベールを釣糸放出位置へ移動させ、仕掛けを投擲すると、スプールに巻回された釣糸が繰り出される。
【０００４】
ラインローラは、軸受によって支持アームに回転可能に支持されている。ラインローラの外周には、釣糸案内部が形成されており、釣糸の巻き取り開始時には、ベールを介して釣糸がラインスライダーの釣糸誘導部に移動し、その後ラインスライダーによって釣糸がラインローラの釣糸案内部に導かれる。
【０００５】
このようなラインスライダーを有する魚釣用スピニングリールとして、特許文献１に開示されたものが知られている。
【０００６】
特許文献１において、釣糸誘導部として機能するラインスライダーは、内側が中空とされた壁部と、壁部の端部に設けられた円板部とを備えている。ラインスライダーは、円板部を介して支持アーム側に固定されている。
この魚釣用スピニングリールでは、ラインスライダーの内側を中空とすることで重量軽減が図られている。
【先行技術文献】
【特許文献】
【０００７】
【特許文献１】特開平９−３２７２５４号公報
【発明の概要】
【発明が解決しようとする課題】
【０００８】
特許文献１の魚釣用スピニングリールでは、ラインスライダーの内側を中空にし、ラインスライダーを構成している壁部および円板部を薄肉化することで重量軽減を図っている。しかしながら、ラインスライダーの強度を考慮した場合、ラインスライダーの各部を薄肉化することには限界がある。
【０００９】
本発明は、前記課題を解決するためになされたものであり、ラインスライダーの軽量化を図りつつ、ラインスライダーの強度を確保することができる魚釣用スピニングリールを提供することを目的とする。
【課題を解決するための手段】
【００１０】
前記目的を達成するために本発明の魚釣用スピニングリールは、ハンドルの巻き取り操作に連動回転するロータと、前記ロータのアーム部に取り付けられ、ベールを支持する支持部材と、前記支持部材に支持され、釣糸が巻回保持されるスプールに当該釣糸を案内するラインローラと、前記ベールの端部に設けられ、前記ベールによって拾われた釣糸を前記ラインローラに導くラインスライダーと、を備えた魚釣用スピニングリールであって、前記ラインスライダーは、前記ベールの端部から前記ラインローラに向けて延在する複数の線状部材で構成されており、前記複数の線状部材は、前記ラインローラの軸周りに扇状に間隔を空けて配置されていることを特徴とする。
【００１１】
この魚釣用スピニングリールによれば、ラインスライダーは、ベールの端部からラインローラに向けて延在する複数の線状部材で構成されているので、従来のような壁部でラインスライダーが構成されているものに比べて軽量化が可能となる。
また、複数の線状部材は、ラインローラの軸周りに扇状に間隔を空けて配置されているので、ラインローラの軸周りに広がりをもって配置されることとなる。
【００１２】
また、本発明は、「前記複数の線状部材は前記ラインローラの径方向外側に湾曲している」ことを特徴とする。
【００１３】
この魚釣用スピニングリールによれば、ラインスライダー上を釣糸が移動する際に、ラインローラの径方向外側に釣糸が一旦案内され、その後、ラインローラの径方向内側に釣糸が案内されてラインローラに導かれる。
【発明の効果】
【００１４】
本発明によれば、ラインスライダーの軽量化を図ることができる魚釣用スピニングリールが得られる。
また、複数の線状部材が、ラインローラの軸周りに扇状に間隔を空けて配置されラインローラの軸周りに広がりをもって配置されるので、ラインスライダーの強度を確保することができる魚釣用スピニングリールが得られる。
【００１５】
また、ラインスライダー上を釣糸が移動する際に、ラインローラの径方向外側に釣糸が一旦案内され、その後、ラインローラの径方向内側に釣糸が案内されてラインローラに導かれるので、ラインローラに導かれる釣糸の引っ掛かり等を好適に防止することができる。したがって、魚釣操作性に優れる魚釣用スピニングリールが得られる。
【図面の簡単な説明】
【００１６】
【図１】本発明の第１実施形態に係る魚釣用スピニングリールの全体構成を示す図である。
【図２】釣糸案内部を示す図であり、（ａ）は前面側から見た斜視図、（ｂ）は中央の線状部材を基準として側方から見た側面図、（ｃ）は前面図である。
【図３】釣糸案内部の分解斜視図である。
【図４】ラインスライダーを示す図であり、（ａ）は図２（ｂ）に相当する側面図、（ｂ）は（ａ）の下面図、（ｃ）は（ａ）を反対側から見た側面図、（ｄ）は前面図である。
【図５】ラインローラ周りの拡大断面図である。
【図６】作用説明図である。
【図７】変形例のラインスライダーを示す正面図である。
【図８】本発明の第２実施形態に係る魚釣用スピニングリールの釣糸案内部を示す図であり、（ａ）は前面側から見た斜視図、（ｂ）は側面図、（ｃ）は前面図である。
【図９】ラインローラ周りの拡大断面図である。
【図１０】本発明の第３実施形態に係る魚釣用スピニングリールの釣糸案内部を示す図であり、（ａ）は側面図、（ｂ）は前面図である
【図１１】ラインローラ周りの拡大断面図である。
【発明を実施するための形態】
【００１７】
以下、本発明に係る魚釣用スピニングリールの実施施形態について図面を参照して説明する。各実施形態において、同一の部分には同一の符号を付し、重複する説明は省略する。なお、以下の説明において、「前後」「上下」を言うときは、図１に示した方向を基準とする。
【００１８】
図１に示すように、魚釣用スピニングリールは、リール本体１と、リール本体１を図示しない釣竿のリール取付部に取り付けるための脚部１ａと、を備えている。リール本体１内には、ハンドル２の回転操作によって回転駆動される図示しない駆動歯車が設けられている。駆動歯車には、中空のピニオンが噛合している。
【００１９】
ピニオン内には、図示しないスプール軸が軸方向に挿通されており、スプール軸の先端には、釣糸が巻回されるスプール３が取り付けられている。ピニオンには、ピニオンと一体に回転するロータ４が取り付けられている。ロータ４には、一対の支持アーム（片側のみ図示）５が設けられている。一対の支持アーム５には、一対のベール支持部材６（支持部材、片側のみ図示）を介してベール７が支持されている。ベール７は、一対のベール支持部材６によって釣糸巻き取り位置と釣糸放出位置とに移動自在に設けられている。ベール７の端部７ａには、ラインスライダー１０が取り付けられている。ラインスライダー１０と一方のベール支持部材６との間には、ラインローラ２０が支持されている。なお、ベール７の他方の基端部は、他方の支持アーム５の先端に取り付けられる図示しないベールホルダーに接続されている。このようなラインスライダー１０およびラインローラ２０によって釣糸案内部が構成されている。ラインスライダー１０およびラインローラ２０の詳細な説明は後記する。
【００２０】
前記した駆動歯車には、図示しないオシレーティング機構が係合しており、ハンドル２を回転操作して駆動歯車を回転させることによって、スプール軸（スプール３）を前後動させることができるように構成されている。
【００２１】
このような構成を有する魚釣用スピニングリールにおいて、ベール７を釣糸放出位置に移動（回動）させた状態でキャスティングした後、ベール７を釣糸巻き取り位置に移動（回動）させてハンドル２を回転操作すると、ハンドル２の回転運動が、駆動歯車を介してピニオンに伝達され、ピニオンが回転する。また、同時に、ハンドル２の回転運動は、オシレーティング機構を介してスプール軸に伝達され、スプール軸が前後動する。このとき、ロータ４が回転しつつスプール３が前後動することによって、釣糸は、ラインローラ２０を介してスプール３に平行かつ均等に巻回される。
【００２２】
ラインスライダー１０は、ベール７によって拾われた釣糸をラインローラ２０に導くものである。ラインスライダー１０は、基端部１１ａがベール７の端部７ａ（円筒状の端部）に固定されている。例えば、基端部１１ａはベール７の端部７ａの中空部内に嵌入されて固定される。
【００２３】
ラインスライダー１０は、３本の線状部材１１，１２，１３と、環状の固定部１４とを備えて構成されている。３本の線状部材１１，１２，１３は、図２〜図４に示すように、基端部１１ａからラインローラ２０に向けて延在しており、細長板状を呈している。本実施形態では、３本の線状部材１１，１２，１３が、図２各図に示すように、ラインローラ２０の軸周りに扇状に間隔を空けて広がる状態に配置されている。つまり、図２（ｂ）に示すように、線状部材１１を中心として隣合う線状部材１２，１３の延出端部（先端部１２ｂ，１３ｂ）が、ラインローラ２０の軸周り方向（固定部１４の周方向）に所定の間隔を空けて固定部１４に一体的に連結されている。別言すれば、３本の線状部材１１，１２，１３が、ベール７側からラインローラ２０側に向かうにつれて、固定部１４の周方向に広がる状態に（連続して滑らかに拡径する表面形状（曲面形状））に形成されている。
【００２４】
各線状部材１１，１２，１３は、図２各図に示すように、ラインローラ２０の径方向外側へ向けて緩やかに膨出する湾曲突状とされている。線状部材１１は、線状部材１２，１３よりも幅広に形成されており、図２（ｂ）に示すように、先端部１１ｂがラインローラ２０の軸周り方向に二股に分かれて広がっており、側面視で、先端部１１ｂの幅Ｗ２が基端部１１ａの幅Ｗ１よりも大きくなっている。二股に分かれた先端部１１ｂの幅方向内側には、間隙Ｓ１が形成されている。なお、線状部材１１の長手方向の中間部１１ｅは、基端部１１ａよりも幅狭に形成されている。これにより、基端部１１ａから中間部１１ｅにかけて釣糸がスムーズに移動するようになっている。
【００２５】
線状部材１２，１３は、線状部材１１よりも全体的に幅狭に形成されている。なお、線状部材１２，１３は、図２（ｃ）に示すように、前面視で先端部１２ｂ，１３ｂの幅Ｗ３が基端部１２ａ，１３ａの幅Ｗ４よりも大きくなっている（線状部材１３のみ図示）。つまり、線状部材１２，１３は、基端部１２ａ，１３ａから先端部１２ｂ，１３ｂに向けて幅が広がるように形成されている。
【００２６】
また、線状部材１２，１３の先端部１２ｂ，１３ｂは、図２（ｂ）に示すように、側面視で、固定部１４に連結される部分の手前側が固定部１４の径方向外側に湾曲膨出（突出）している。これにより、先端部１２ｂ，１３ｂの外面が保持部材２１の傾斜した外周面２１ｆに連続するように構成されている。
また、線状部材１１の先端部１１ｂの外面も、図２（ｃ）に示すように、保持部材２１の傾斜した外周面２１ｆに略連続する傾斜面とされている。これによって、ラインスライダー１０が線状部材１１，１２，１３からなる構成でありながら、ベール７からラインスライダー１０を介して保持部材２１までを滑らかに連続した一体構造とすることが可能となっている。
【００２７】
固定部１４は、丸形の環状を呈している（図４（ｂ）参照）。固定部１４には、各線状部材１１，１２，１３の先端部１１ｂ，１２ｂ，１３ｂが一体的に連結される。固定部１４は、図３、図５に示すように、ラインローラ２０の端部外周をカバーする保持部材２１の側面に一体的に連結される。固定部１４の側面には、図５に示すように、保持部材２１の係合孔２１ｂ，２１ｂに係合可能な係合突起１４ｂ，１４ｂが形成されている。
保持部材２１は、図２、図３、図５に示すように、外形が円錐台状を呈しており、ラインローラ２０へ向けてテーパ状に縮径する外周面２１ｆを有している。外周面２１ｆは、線状部材１２，１３の先端部１２ｂ，１３ｂから略連続する傾斜面となっている。これによって、線状部材１２，１３の先端部１２ｂ，１３ｂから保持部材２１への釣糸のスムーズな移動が実現される。
【００２８】
保持部材２１に固定部１４を固定する際は、図３に示すように、固定部１４の挿通孔１４ａを通じて保持部材２１の挿通孔２１ｄに支軸１５を挿通し、保持部材２１の係合孔２１ｂに固定部１４の係合突起１４ｂを係合させて保持部材２１に固定部１４が回り止めされる状態にする。
支軸１５の軸部１５ａは、円筒状とされており、図５に示すように、その内側には、雌ねじ１５ｂが形成されている。雌ねじ１５ｂには、ベール支持部材６から取り付けられる固定ねじ６１の雄ねじ６１ａが螺合する。これによって、軸受２３、スペーサ２８、軸受２２を介して保持部材２１に固定部１４が回り止めされる。図示では省略しているが、ベール支持部材６に支軸１５の端部が回り止め嵌合される。また、支軸１５の外周には、保持部材２１または固定部１４が回り止め嵌合される。
なお、支軸１５と保持部材２１とを別々に形成して、固定部１４を固定したが、支軸１５と保持部材２１とを一体成形して支軸１５の突出端部に固定部１４を回り止め嵌合し、突出端部をカシメて固定部１４を抜け止め固定するようにしてもよい。
軸部１５ａはラインローラ２０を回転可能に支持する。
【００２９】
次に、ラインローラ２０の周りの構造について説明する。図５に示すように、ラインローラ２０および軸受２２，２３周りの構造は、周知の構造を採用している。ラインローラ２０は筒体形状からなり、その外周面の釣糸案内部２０ｃは、ラインスライダー１０側からベール支持部材６側へ順次小径となるテーパ状に形成されている。ラインローラ２０の両端周縁部には、釣糸の巻き取り操作時に糸道を安定させる環状のガイド部２０ａ，２０ｂが突設されている。
【００３０】
ラインローラ２０は、軸受２２，２３を介して回転可能に支軸１５に支持されている。軸受２２，２３は、軸部１５ａに環装した筒状のスペーサ２８を挟んで軸部１５ａの軸方向に並設されている。軸受２２，２３の内輪の対向部がスペーサ２８にそれぞれ当接している。そして、軸受２２の内輪の外側端が、保持部材２１の内側筒部２１ｅに当接するとともに、軸受２３の内輪の外側端が、ベール支持部材６の内側筒部６ｃに当接している。これにより、軸部１５ａの軸方向への軸受２２，２３の移動が規制されている。
【００３１】
軸受２２，２３とラインローラ２０との間には、カラー２４，２５が設けられている。カラー２４，２５の両端外周には、環状の係止部２４ａ，２５ａが形成されている。係止部２４ａ，２５ａには、ゴム製のシール部材２６，２７の環状部２６ａ，２７ａが係合されている。シール部材２６，２７は皿状を呈しており、その内周部が保持部材２１の内側筒部２１ｅ、ベール支持部材６の内側筒部６ｃに当接している。
シール部材２６は、保持部材２１の内側スペース２１ａに配置され、シール部材２７は、ベール支持部材６の内側スペース６ａに配置されている。
【００３２】
前記したカラー２４，２５はラインローラ２０の両端側からラインローラ２０の内周面に組付可能である。例えば、一方のカラー２４内に軸受２２を組み込んで、係止部２４ａにシール部材２６の環状部２６ａを係止すると、カラー２４、軸受２２、シール部材２６が部組みされてユニット化される。同様に他方のカラー２５内に軸受２３を組み込んで、係止部２５ａにシール部材２７の環状部２７ａを係止すると、カラー２５、軸受２３、シール部材２７が部組みされてユニット化される。
【００３３】
このようにユニット化されたカラー２４，２５をラインローラ２０の両端側から内周面内に組み込んで突合せると、図３に示すような、ラインローラ２０とユニット化されたカラー２４，２５（不図示）とが組み付けられた組付体２０Ａが形成される。
【００３４】
次に、釣糸案内部の組み立てについて説明する。まず、ラインスライダー１０を保持部材２１に固定する。この場合、保持部材２１の取付面２１ｃの係合孔２１ｂに固定部１４の係合突起１４ｂを係合して、保持部材２１の取付面２１ｃに固定部１４を装着する。この状態で、前記したように、固定部１４の挿通孔１４ａを通じて保持部材２１の挿通孔２１ｄに支軸１５を挿通し、組立体２０Ａを支持した支軸１５をベール支持部材６の内側筒部６ｃ内に係合した後、固定ねじ６１を支軸１５の雌ねじ１５ｂに螺合する。これによって、固定部１４が支軸１５を介して保持部材２１に固定され、ラインスライダー１０が保持部材２１に固定される。
【００３５】
これによって、保持部材２１とベール支持部材６との間に組付体２０Ａが抜け止め保持され、保持部材２１の側方にラインローラ２０が回転可能に配置された釣糸案内部が組み立てられる。
【００３６】
このような構成を有する魚釣用スピニングリールにおいて、ベール７を釣糸放出位置に移動させた状態でキャスティングした後、ベール７を釣糸巻き取り位置に移動させると、図６に示すようにベール７によって釣糸Ｌが拾われる。その後、ハンドル２を回転操作すると、釣糸Ｌの張力によって釣糸Ｌがベール７に沿って端部７ａ側に移動し、さらに釣糸Ｌは端部７ａ上からラインスライダー１０上に移動する。
【００３７】
ラインスライダー１０は、３本の線状部材１１，１２，１３が、ベール７側からラインローラ２０側に向かうにつれて、徐々に拡径した表面形状（曲面形状）を形成しているので、釣糸Ｌがラインスライダー１０に沿って保持部材２１側に滑らかに移動する。
【００３８】
その後、釣糸Ｌは、ラインスライダー１０の先端部から保持部材２１上に移動する。この場合、線状部材１１，１２，１３の先端部１１ｂ，１２ｂ，１３ｂの傾斜は、保持部材２１の外周面２１ｆの傾斜に略連続したものとなっているので、釣糸Ｌは、ラインスライダー１０上から保持部材２１に滑らかに移動する。
【００３９】
保持部材２１に移動した釣糸Ｌは、さらなる釣糸Ｌの張力によって、保持部材２１の外周面２１ｆ上をラインローラ２０に向けて移動し、ラインローラ２０の外周面の釣糸案内部２０ｃに移動する。
このようにして、ベール７で拾われた釣糸Ｌがラインスライダー１０を介してラインローラ２０に導かれる。
【００４０】
以上説明した本実施形態の魚釣用スピニングリールによれば、線状部材１１，１２，１３の先端部１１ｂ，１２ｂ，１３ｂに（一体的に連結した）環状の固定部１４を介してラインスライダー１０を保持部材２１に固定することができるので、ラインスライダー１０の軽量化を図りつつ、ラインスライダー１０と保持部材２１との固定強度を十分に確保することができる。
【００４１】
また、ラインスライダー１０の軽量化が可能となるので、ロータ４のバランス向上を図ることができる。したがって、レスポンスのよいロータ４の回転を実現することができ、魚釣操作性に優れる。
【００４２】
また、各線状部材１１，１２，１３の先端部１１ｂ，１２ｂ，１３ｂが固定部１４の周方向に広がる状態で固定部１４に連結され、線状部材１１，１２，１３と固定部１４との固定強度を高めることができるので、ラインスライダー１０と保持部材２１との十分な固定強度を確保することができる。
また、先端部１１ｂ，１２ｂ，１３ｂが固定部１４の周方向に広がっているので、ベール７からラインスライダー１０に移動した釣糸Ｌをラインローラ２０にスムーズに導くことができる。したがって、魚釣操作性に優れる魚釣用スピニングリールが得られる。
【００４３】
ラインスライダー１０は、ベール７の端部７ａからラインローラ２０に向けて延在する複数の線状部材１１，１２，１３で構成されているので、従来のような壁部でラインスライダーが構成されているものに比べて軽量化が可能となる。
【００４４】
また、各線状部材１１，１２，１３は、ラインローラ２０の軸周りに扇状に間隔を空けて配置されているので、各線状部材１１，１２，１３がラインローラ２０の軸周りに広がりをもって配置されることとなる。したがって、ラインスライダー１０の、特に、ねじり方向の強度を確保することができる。
【００４５】
また、各線状部材１１，１２，１３はラインローラ２０の径方向外側に湾曲しており、ラインスライダー１０上を釣糸Ｌが移動する際に、ラインローラ２０の径方向外側に釣糸Ｌが一旦案内され、その後、ラインローラ２０の径方向内側に釣糸Ｌが案内されてラインローラ２０に導かれるので、ラインローラ２０に導かれる釣糸Ｌの引っ掛かり等を好適に防止することができる。したがって、魚釣操作性に優れる魚釣用スピニングリールが得られる。
【００４６】
なお、前記実施形態では、３本の線状部材１１，１２，１３を用いたものを示したが、図７に示すように、線状部材１１と線状部材１３との間、および線状部材１１と図示しない線状部材１２との間に、線状部材１１Ａ（片側のみ図示）を配置してもよい。このように構成することによって、ベール７からラインスライダー１０を介して保持部材２１までを、より滑らかに連続した一体構造とすることが可能となる。
【００４７】
また、線状部材１１，１２，１３は、板状でもよいし、棒状でもよい。さらに、基端部１１ａ，１２ａ，１３ａから先端部１１ｂ，１２ｂ，１３ｂにかけての形状は適宜変更してもよい。このような線状部材を有するラインスライダー１０は、金属材、樹脂材等、種々選択して形成することが可能である。また、適宜の表面処理等を施すことも可能である。さらに、製造方法も、金型成形、プレス成形、切削加工等、適宜選択される。
【００４８】
また、支軸１５は、図２（ａ）に二点鎖線で示すように、ワッシャ１５ｅを介在させてもよい。
【００４９】
（第２実施形態）
図８、図９を参照して第２実施形態の魚釣用スピニングリールについて説明する。本実施形態では、ナット部材１６を用いてラインスライダー１０の固定部１４を保持部材２１に固定している点が異なる。
【００５０】
図８各図に示すように、ナット部材１６は、先端部がベール７側に丸形山状に突出している。ナット部材１６は、固定部１４の側方において、各線状部材１１，１２，１３で囲われる空間内に配置されている。
【００５１】
図９に示すように、保持部材２１は、固定部１４の挿通孔１４ａを通じて固定部１４の側方に突出する雄ねじ部１５ｃを有している。また、保持部材２１には、軸部１５ａが一体的に設けられている。雄ねじ部１５ｃは、軸部１５ａの延長上に形成されている。雄ねじ部１５ｃにナット部材１６が螺合されることで、保持部材２１とナット部材１６との間に、固定部１４が挟持されて固定される。
【００５２】
この魚釣用スピニングリールによれば、ナット部材１６を保持部材２１の雄ねじ部１５ｃに螺合するという簡単な構成で、環状の固定部１４を介してラインスライダー１０を保持部材２１に固定することができる。したがって、ラインスライダー１０の軽量化を図りつつ、ラインスライダー１０と保持部材２１との固定強度を十分に確保することができる。
【００５３】
また、ラインスライダー１０の軽量化が可能となるので、ロータ４のバランス向上を図ることができる。したがって、レスポンスのよいロータ４の回転を実現することができ、魚釣操作性に優れる。
【００５４】
また、ナット部材１６は、先端部がベール７側に丸形山状に突出しているので、釣糸Ｌの引っ掛かりを好適に防止することができる。
また、保持部材２１の端部に雌ねじを形成し、ナット部材１６に代えて、ボルト部材を螺合することで挟着固定してもよい。
【００５５】
なお、図８（ｂ）に示すように、線状部材１１の先端近傍部１１ｃは、第１実施形態で示したものよりも幅広に形成されている。これによって、滑らかな釣糸Ｌの移動が実現される。また、先端近傍部１１ｃが幅広に形成されることで、強度の向上を図ることも可能である。
【００５６】
（第３実施形態）
図１０、図１１を参照して第３実施形態の魚釣用スピニングリールについて説明する。本実施形態では、固定部１４を薄肉リング状に形成してある。
図１０、図１１に示すように、保持部材２１Ａの外周面には、溶接固定面２１ｇが形成されている。溶接固定面２１ｇには固定部１４が外嵌される。固定部１４は、溶接固定面２１ｇに対して溶接により強固に固着される。
【００５７】
この魚釣用スピニングリールによれば、溶接によって保持部材２１Ａに環状の固定部１４を直接固定することができる。したがって、ラインスライダー１０の軽量化を図りつつ、ラインスライダー１０と保持部材２１Ａとの固定強度を十分に確保することができる。
【００５８】
また、ラインスライダー１０の軽量化が可能となるので、ロータ４のバランス向上を図ることができる。したがって、レスポンスのよいロータ４の回転を実現することができ、魚釣操作性に優れる。
【００５９】
なお、図１０（ａ）に示すように、線状部材１２，１３は、前記第１、第２実施形態で示したものに比べて、ラインローラ２０の径方向外側に、より湾曲して設けられている。したがって、ラインスライダー１０上を釣糸Ｌが移動する際に、ラインローラ２０の径方向外側に膨らんで釣糸Ｌが一旦案内され、その後、ラインローラ２０の径方向内側に釣糸Ｌが案内されてラインローラ２０に導かれるので、ラインローラ２０に導かれる釣糸の引っ掛かり等をより好適に防止することができる。したがって、魚釣操作性に一層優れる魚釣用スピニングリールが得られる。
【００６０】
以上、本発明の実施形態について説明したが、本発明は、上記した実施形態に限定されることはなく、種々変形することが可能である。
例えば、ラインスライダー１０は、主として３本の線状部材を用いたものを示したが、これに限られることはなく、２本の線状部材を用いたもの、４本以上の線状部材を用いたもの等、種々採用することができる。
【００６１】
また、各線状部材１１，１２，１３は、湾曲状のものを示したが、これに限られることはなく、直線状のものや直線状の部分を一部に有するもの等、種々採用することができる。
【００６２】
また、固定部１４は丸形の環状のものを示したが、これに限られることはなく、糸絡みが発生しない程度の三角形状、四角形状等の角部を有する多角形状の環状のものも好適に採用することができる。
また、固定部１４を板状に形成してもよい。
【符号の説明】
【００６３】
２    ハンドル
３    ロータ
５    支持アーム（アーム部）
６    ベール支持部材（支持部材）
７    ベール
７ａ    端部
１０    ラインスライダー
１１，１２，１３    線状部材
１４    固定部
２０    ラインローラ
２１    保持部材
【図１】
2015192624.tif 000003
【図２】
2015192624.tif 000004
【図３】
2015192624.tif 000005
【図４】
2015192624.tif 000006
【図５】
2015192624.tif 000007
【図６】
2015192624.tif 000008
【図７】
2015192624.tif 000009
【図８】
2015192624.tif 000010
【図９】
2015192624.tif 000011
【図１０】
2015192624.tif 000012
【図１１】
2015192624.tif 000013